(57)【要約】【課題】血圧は安静状態に近いほどより自然の値が計測されるため、被測定者が興奮状態の場合は出来るだけ早く鎮静化させて、より真の値に近い血圧測定を可能にする。逆にストレスを加えた緊張状態での血圧測定をも可能にする。【解決手段】血圧測定に先行して心拍数を測定し、心拍数が安静時の値に近い場合は血圧測定を行うが、心拍数が高い場合は、心拍数が自然と減少する方向にある時または事前に設定した心拍数の値まで自然に減少した時に血圧測定を開始する。また心拍数が高い上に自然減少しない時は、アドバイス、視覚、聴覚などで気持を鎮め、心拍数が減少した時に測定を行う。逆に被測定者にストレスを加えることで緊張時の血圧測定も可能になる。ネット接続やＬＡＮ接続で血圧計の集中管理、遠隔管理、測定結果の送受信や鎮静／緊張効果の更新を可能にする。【選択図】図２
2007125336.tif 000002
【特許請求の範囲】
【請求項１】
血圧測定に先行して心拍数を測定し、心拍数が安静時の値に近い場合は血圧測定を行うが、心拍数が高い場合は、心拍数が自然と減少方向にある時、または事前に設定した心拍数の値まで減少した時に血圧測定を開始し、心拍数が高い上に自然減少しない時は、音声や文字によるアドバイスにより、あるいは視覚、聴覚、嗅覚、触覚などの身体感覚との相乗効果により、被測定者の気持を鎮静化させて安静時の値に近づいた時に測定を開始する血圧測定方式
【請求項２】
外部騒音や刺激を低減または遮断するために、イヤフォンやヘッドフォンを使用し、音声でのアドバイスにより、またはリラックス効果があると考えられる自然音、和洋音楽、読経、朗読などを含む音情報との相乗効果により鎮静効果を高める血圧測定方式
【請求項３】
血圧計を構成する、または別の、映像表示装置のアドバイス表示および／またはリラックス効果ある映像により鎮静効果を高める血圧測定方式。
【請求項４】
防音型ヘルメットの内蔵スピーカーからのリラックス音やアドバイス、および内蔵、あるいは別の映像表示装置のリラックス効果のある映像により、音のみ、あるいは音と映像により鎮静効果を高める血圧測定方式。
【請求項５】
請求項４に加えて、さらに臭覚の効果を利用するために、ヘルメットにアロマ効果のある気体を鼻の付近に噴出させる機能を備えた血圧測定方式
【請求項６】
リラックス効果を上げるためのアドバイス、音、映像、香りなどの選択を効果的に行うためのプログラム制御方式を使用した血圧測定方式。
【請求項７】
再測定の場合に、以前の測定における鎮静化の結果に基づいて、さらに効果を上げるようにした学習効果測定装置を有する血圧測定方式
【請求項８】
リラックス効果とは逆に、ストレスを与えるアドバイス、音、映像、香りなどを選択することにより、仮面高血圧の一つである、ストレスの影響を受けた状態での測定を可能にする血圧測定方式。
【請求項９】
インターネット接続やＬＡＮ接続により血圧計の集中管理や遠隔管理、さらには測定結果の送受信を可能にし、音声、文字、映像、音などリラックス／ストレス効果データを取り込んで更新することも可能な血圧測定方式。
【発明の詳細な説明】
【技術分野】
【００１】  この発明は、血圧測定時に、被測定者の緊張を和らげ出来るだけ安静時の状態に近づけ、より正確な血圧の測定を可能にし、またストレスを加えることによりストレスの影響を受けた状態での測定をも可能にする方式に関するものである。
【背景技術】
【００２】  従来から使用されている血圧計は、加圧帯と呼ばれる血管を圧迫し血流を止めるための空気袋、圧脈波検出装置やマイクまたは聴診器、圧力計などから構成され、心音の停止と血流再開による最高血圧および最低血圧の測定を行う。測定者と被測定者の対面方式の場合は、被測定者が緊張している場合でも、ある程度は判断できる。が、自動式の場合は電源投入即加圧・血圧測定と進む。従って被測定者の緊張状態を緩和する暇もなく測定が開始されることになる。
【発明が解決しようとする課題】
【００３】  血圧は被測定者の精神的な動揺を反映するために、真の血圧の値を知ることは至難である。興奮状態だから高いのか、本当に病的に高いのか、判断が困難である。特に高血圧と正常の臨界点にある場合測定時の精神的な原因により高血圧と診断され、不必要な投薬を受けて必要以上に血圧を下げて身体に悪影響を与えかねない。家庭で計測すると素顔の血圧が分かると言われるが、血圧計を装着するだけで動悸が高まる被測定者が存在することも事実である。
【課題を解決するための手段】
【００４】  血圧測定開始に先立って心拍数を計測し、更には血圧測定を開始する心拍数を設定しておくことにより、安静状態に達した時に自動的に血圧測定が行われればより正確な素顔の血圧が分かると考えられる。またストレスを加えることにより仮面血圧の一つである緊張状態での血圧測定も可能と考えられる。
【発明を実施するための最良の形態】
【００５】  以下、本発明の実施の形態について説明する。血圧測定に先立ち、圧脈波センサーを使用し、腕あるいは手首に巻き付けた空気袋を圧脈波が認識できる程度に加圧した状態で、心拍数を計測する。または、耳たぶや指先で計る心拍計あるいは胸の周囲に発信機を装着して別の受信機に表示する心拍計を血圧計に接続し心拍数を計測・表示する。血圧測定に際しては、（１）測定を開始すべき心拍数の設定、（２）音声や文字によるアドバイスに加え、音、映像、香りなど個人の好みに合わせてリラックス効果を選択、（３）測定時間に制限を設けたい場合は、その時間、（４）一度の測定に１回とするか、身体を動かさないでそのまま連続して２回測定するか、などの回数の設定、（５）心拍数が下がらずに再測定を希望する場合は、その再測定の回数の設定を行う。設定をしない場合はすぐに心拍数の測定に入る。心拍数の測定もしない従来の血圧測定方式を希望する場合はすぐに血圧測定に入る。リラックス効果音は、血圧計内臓のスピーカーまたはイヤホンとかヘッドホンから聞く。リラックス映像は、打ち寄せる波、風にそよぐ草木、幼児や動物などの可愛い仕草といった心を穏やかにする映像を選択し、映像表示装置で見る。文字や音声のアドバイスは音や映像として上記の方法で受ける。外部からの刺激を完全に遮断するには、防音したヘルメットにスピーカーを内蔵し、映像表示装置を取り付けるか別に設置した映像表示装置を使用する。香りがリラックス効果をあげるのに極めて有効な実績があるので、ヘルメットから選択された香りを放出する装置を取り付けるか、別の装置で香りを嗅ぐ。リラックス効果に関しては、プログラム制御が可能で学習機能を装備することにより、事前に被測定者に相応しい効果音や映像の選択を容易にする。また、再度測定する場合には、以前のリラックス効果のデータにより、より効果の高い選択が可能になる。（１）心拍数が一般的な値より低い場合や設定値よりも低い場合はそのまま血圧測定に入る。（２）心拍数が一般的な値よりも高い場合や設定値を超えている場合は、リラックス効果により心拍数が減少傾向にあるか、（１）の条件になれば血圧測定に入る。心拍数が増加傾向にある場合はリラックス効果で鎮静化させ、再測定回数が設定以下で測定時間が許容範囲であれば再度心拍数測定を行う。この繰り返しで再測定回数または時間が超過した場合は血圧測定を中止する。測定結果は学習機能にフィードバックされ、次回以降の測定に反映させる。種々の設定や結果は血圧計の記憶容量の範囲で保存されるが、パソコンに接続して機能を高めることができる。インターネット接続やＬＡＮ接続すれば、多数の血圧計の集中管理や遠隔管理、在宅患者と病院の間のデータ送受信を可能し、文字、音、映像などのソラックス効果を最も効果が高いと考えられる、最新のものを取り込むことができる。逆にストレス効果を与えることにより緊張状態での血圧測定が可能になる。
【発明の効果】
【００６】  病院であれ自宅であれ、血圧測定のための加圧帯を装着した時から緊張が高まる被測定者も存在する。そのような場合でも、リラックス効果を発揮できる音や映像、香りなどを活用することにより、意識的に周囲と隔離できれば、血圧測定からの緊張が緩和される。真の血圧測定が不可能のため、出来るだけ自然体の血圧測定が望まれている状況で、リラックス効果による鎮静化は、より自然体に近づいたものと言える。白衣高血圧などと診断されると、本来不必要な血圧降下剤の服用を強いられることもあり、健康上の弊害や健康保険制度上の問題が考えられる。病院では医師・看護師の影響を少なくした客観的な血圧測定が実現する可能性がある。パソコンと接続すればさらに多種のプログラム制御が可能になる。リラックス効果とは逆に、ストレスを与えるアドバイス、音、映像、香りなどを選択することにより、仮面高血圧の一つである、ストレスを受けている状態の血圧測定も可能になる。インターネット接続やＬＡＮ接続により、多数の血圧計の集中管理や遠隔管理、さらには主治医に測定結果を送信することも、指示を受信することも出来る。また、最新のリラックス／ストレス効果のあるアドバイスや音を取り込んで更新することも出来る。
【図面の簡単な説明】
【図１】  本発明による血圧計の概略構成図を示す。
【図２】  本発明による血圧測定の概略の流れを示す。
【図１】
2007125336.tif 000003
【図２】
2007125336.tif 000004